(57)【要約】【課題】  簡単な構成でありながら、押しボタンをロックするロック位置に配置されたロック部材が誤って過度に回転操作されることを防止可能な携帯機器を提供する。【解決手段】  機器外装体12の貫通孔32に挿入されたパイプ35を機器外装体12に固定する。パイプ35は、単一部品からなり、その外配置筒部37に雄ねじ部38とストッパ部39を有する。ロック部材51に、雌ねじ部52、ロック部54、及びストッパ部39に接離される係止部56を設ける。両ねじ部38,52を螺合してロック部材51をパイプ35の軸方向に移動可能に取付ける。押しボタン61の軸部62をパイプ35に貫通させ、押しボタン61をばね７１で機器外装体12の外部に向けて付勢する。押しボタン61が備えるヘッド63はロック部54に対向する対向部65を有する。機器外装体12の内部に位置された軸部62の軸端部に止め輪64を取付け、押しボタン61をパイプ35から抜け止めする。【選択図】図４
2015036642.tif 000002
【特許請求の範囲】
【請求項１】
貫通孔が形成された機器外装体と、
前記貫通孔に挿入して前記機器外装体に固定された挿入筒部、この挿入筒部に連続して前記機器外装体の外部に配置されかつストッパ部を有する外配置筒部、及びこの外配置筒部に形成された雄ねじ部を備える単一部品からなるパイプと、
雌ねじ部、ロック部、及び前記ストッパ部に接離される係止部を備え、前記雌ねじ部が前記雄ねじ部に螺合されて前記パイプの軸方向に移動可能に取付けられたロック部材と、
前記パイプを軸方向に移動可能に貫通した軸部、及びこの軸部に連続して前記機器外装体の外部に位置されかつ前記ロック部と対向する対向部を有したヘッドを備える押しボタンと、
この押しボタンを前記機器外装体の外部に向けて付勢するばねと、
前記機器外装体内に位置された前記軸部の軸端部に取付けられて前記押しボタンを前記パイプから抜け止めする止め輪と、
を具備することを特徴とする携帯機器。
【請求項２】
前記外配置筒部が、前記ストッパ部及び前記雄ねじ部を有する大径筒部位と、この大径筒部位より小径で前記挿入筒部と前記大径筒部位とにわたる小径筒部位とを備え、前記大径筒部位と前記小径筒部位とがなす段差によって前記ストッパ部が形成され、前記小径筒部位より大径でかつ前記大径筒部位より小径の孔を有した前記ロック部材の端壁によって前記係止部が形成されていることを特徴とする請求項１に記載の携帯機器。
【請求項３】
前記外配置筒部が、前記ストッパ部及び前記雄ねじ部を有する大径筒部位と、この大径筒部位より小径で前記挿入筒部と前記大径筒部位とにわたる小径筒部位とを備え、前記大径筒部位と前記小径筒部位とがなす段差に連続して前記雄ねじ部が前記大径筒部位に形成され、前記雄ねじ部の前記段差から隔たった不完全ねじ部により前記ストッパ部が形成され、前記雌ねじ部の前記ロック部に連続した端によって前記係止部が形成されていることを特徴とする請求項１に記載の携帯機器。
【請求項４】
前記小径筒部位が前記挿入筒部より大径であって、この小径筒部位と前記挿入筒部とがなす段部が、前記機器外装体にこの外装体外に開放して形成された凹部の底面に接触されていることを特徴とする請求項２又は３に記載の携帯機器。
【請求項５】
前記ロック部材が、内周に前記雌ねじ部が形成された小径筒部と、この小径筒部より大径で前記ヘッドの外周を覆う大径筒部と、これら大径筒部と小径筒部とにわたる前記ロック部とを有し、前記大径筒部と前記ヘッドとの間にシールリングが挟設されていることを特徴とする請求項１から４のうちのいずれか一項に記載の携帯機器。
【請求項６】
請求項１から５のうちのいずれか一項の携帯機器で形成された携帯時計。
【発明の詳細な説明】
【技術分野】
【０００１】
本発明は、押しボタンを備えた携帯機器及び携帯時計に関する。
【背景技術】
【０００２】
腕時計や懐中時計などの携帯時計、ストップウオッチ、携帯電話、携帯型情報端末機などの携帯機器の中には、例えば機器外装体内の接点等を動作させる押しボタンを機器外装体に取付けたものがある。押しボタンが所定ストローク押込まれることによって、例えば携帯時計では、文字板の照明、又は時計表示をアナログ表示からデジタル表示に或いはこの逆に切換えることができ、若しくはデジタル表示された日付や曜日を修正することができる。
【０００３】
この種の携帯機器は、押しボタンがその押込み方向と逆方向にばねで付勢されているので、このばねの力でパイプから押しボタンが外側に抜けないように構成されている。そのための構成として、機器外装体に固定されたパイプを通って機器外装体の内部に達した押しボタンの端部に、パイプの端に引っ掛かるＣ型やＥ型の止め輪が取付けられている。
【０００４】
こうした構成を前提として、従来の携帯機器は、押しボタンの誤操作を防止するためのロック部材を備えている。ロック部材は、その内周に形成された雌ねじ部を、機器外装体に固定されたパイプの外周に形成した雄ねじ部に螺合させて、これらねじ部の噛み合いの変化により、ロック位置と非ロック位置とにわたって移動可能に設けられている（例えば、特許文献１参照。）。
【０００５】
この構成においてロック部材が非ロック位置に移動されると、パイプを貫通した押しボタンのヘッドからロック部材が離れる。このため、その離れた距離に相当するストロークで押しボタンの押し込み操作が許容される。この逆に、ロック部材がロック位置に移動されると、ロック部材が押しボタンのヘッドに接した状態となる。これにより、押しボタンの押し込みが防止される。
【先行技術文献】
【特許文献】
【０００６】
【特許文献１】特開2003−7164号公報
【発明の概要】
【発明が解決しようとする課題】
【０００７】
従来の技術は、押しボタンを、これに取付けられた止め輪が機器外装体内においてパイプの端に引っ掛かることで位置決めし、この状態の押ボタンのヘッドに、ロック位置に移動されたロック部材が接触するように構成されている。こうして押しボタンがロックされた状態でも、雄ねじ部と雌ねじ部との噛み合った状態は維持されている。
【０００８】
ところで、ロック部材がロック位置に達することに引き続いて、雌ねじ部を有したロック部材又は回転リングが操作者により誤って過度に回転操作されることがある。
このような誤操作は次の理由により可能である。つまり、止め輪の強度は、さほど大きくなく、止め輪の弾性変形も比較的容易であり、しかも、止め輪は切れ目を有しているので縮径するように変形可能である。このため、ロック部材がロック位置に達したことが、止め輪の弾性変形により使用者にとって感知し難い。このことに起因して既述のようにロック部材又は回転リングが誤操作されることがある。
【０００９】
こうしてロック部材又は回転リングが誤って過度に回転操作された場合、それに伴って、変形された止め輪がパイプの内部に引き込まれることがある。その結果、誤操作後における押しボタンの円滑な軸方向移動が阻害されるおそれが考えられる。特に、操作性を向上するために、ロック部材又は回転リングの外径がより大きく設計されている場合は、既述の誤操作による回転トルクが増える。これに伴い、止め輪の変形がより容易となって、止め輪がよりパイプの内部に引き込まれる可能性が高い。しかも、既述の誤操作がもたらす不具合は、ロック部材又は回転リングの外径をより大きく設計することを妨げる因子となっている。
【００１０】
なお、既述の不具合への対策として、止め輪の肉厚を厚くし、或いは高強度の材料で止め輪を形成することで、止め輪を変形し難くすることが考えられる。しかし、このようにすることは、新たに開発を要する専用の止め輪が必要であるので、コスト高になる。加えて、押しボタンの軸部に対する止め輪の着脱作業が面倒となり、押しボタンまわりを分解して掃除する場合の作業性を大きく低下させることになる。したがって、好ましい対策ではない。
【００１１】
そして、既述の誤操作による不具合を生じないようにする上で、コストの増加を抑制することが望まれる。そのためには、可能な限り部品点数が増えないようにするとともに、部品の構造もできるだけシンプルにすることが好ましい。これらが満たされる場合には、組立や部品加工が簡単となって、コストの増加を抑制することが可能となる。
【００１２】
本発明の目的は、簡単な構成でありながら、ロック部材が押しボタンの押込みを妨げるロック位置に移動された状態で、このロック部材が誤って過度に回転操作されることを防止可能な携帯機器及び携帯時計を提供することにある。
【課題を解決するための手段】
【００１３】
前記課題を解決するために、本発明の携帯機器は、貫通孔が形成された機器外装体と、前記貫通孔に挿入して前記機器外装体に固定された挿入筒部、この挿入筒部に連続して前記機器外装体の外部に配置されかつストッパ部を有する外配置筒部、及びこの外配置筒部に形成された雄ねじ部を備える単一部品からなるパイプと、雌ねじ部、ロック部、及び前記ストッパ部に接離される係止部を備え、前記雌ねじ部が前記雄ねじ部に螺合されて前記パイプの軸方向に移動可能に取付けられたロック部材と、前記パイプを軸方向に移動可能に貫通した軸部、及びこの軸部に連続して前記機器外装体の外部に位置されかつ前記ロック部と対向する対向部を有したヘッドを備える押しボタンと、この押しボタンを前記機器外装体の外部に向けて付勢するばねと、前記機器外装体内に位置された前記軸部の軸端部に取付けられ前記押しボタンを前記パイプから抜け止めする止め輪と、を具備することを特徴としている。
【００１４】
本発明の携帯機器は、腕時計や懐中時計などの携帯時計、ストップウオッチ、携帯電話、携帯型情報端末機等に適用でき、その機器外装体とは外装ケース等を指している。本発明で、押しボタンのヘッドが有した対向部は、ヘッドの裏側の端面を利用することが好ましいが、対向部は面以外の構成であっても差し支えない。本発明で、止め輪には、Ｃ型又はＥ型の止め輪を使用することができる。
【００１５】
本発明で、ばねが押しボタンを機器外装体の外方に付勢するとは、押しボタンが機器外装体の正面から押込まれるように設けられる場合、ばねが押しボタンを上方に付勢することを指し、又、押しボタンが機器外装体の側面から押込まれる場合、ばねが押しボタンを外側方に付勢することを指している。
【００１６】
本発明の携帯機器が有するロック部材は、使用者等の操作者により回転操作される。この操作により、機器外装体に固定されたパイプの雄ねじ部とロック部材の雌ねじ部との噛み合いが変化されるに伴って、ロック部材は非ロック位置とロック位置とにわたって移動される。非ロック位置に配置されたロック部材は押しボタンの押込み操作を許容する。ロック位置に配置されたロック部材は押しボタンの押込み操作ができないように押しボタンの移動を拘束する。
【００１７】
すなわち、回転操作によりロック部材が非ロック位置に移動された状態で、ロック部材の係止部はパイプが一体に有するストッパ部から離れている。これとともに、同状態で、ロック部材が有したロック部は、押しボタンが有したヘッドの対向部から離れている。このため、押しボタンを押込み操作することが可能である。押しボタンが押込まれると、その軸部によって、機器外装体内に配設されている例えば接点等のボタン応答部材を動作させることができる。
【００１８】
回転操作によりロック部材がロック位置に移動された状態で、ロック部材が有したロック部は、押しボタンが有したヘッドの対向部に近接又は接している。これにより、ロック部がストッパとなって、押しボタンは押込まれないように保持される。
【００１９】
これとともに、ロック部材がロック位置に移動された状態で、ロック部材の係止部はパイプのストッパ部に接している。パイプの挿入筒部は機器外装体に固定されているため、係止部とストッパ部の接触（係合）によって、それ以上、ロック部材が機器外装体から離れないように、ロック部材が機器外装体に位置決めされた状態に保持される。
【００２０】
これにより、操作者等がロック位置に移動されたロック部材を更に回転させようと試みても、ロック部材が誤った方向に過度に回転されることが妨げられる。即ち、ロック位置に移動されたロック部材の誤操作が防止されるので、それに伴い、止め輪に過負荷が掛からないようにできる。
【００２１】
この場合、仮に、雌ねじ部と雄ねじ部との螺合部での噛み合いの遊びに基づくロック部材の回転が若干可能であるとしても、そのときにロック部材を移動させようとする力は、パイプを介して機器外装体で支持される。このため、押しボタンの対向部が、ロック部によって、機器外装体から抜け出る方向に強く押されることが防止される。
【００２２】
更に、ロック部材をロック位置に保持するストッパ部を有したパイプは、複数の部材を組み合わせて構成されたものではなく単一部品である。これにより、パイプとは別体に用意されたストッパをパイプに装着する手間も構造も必要としない。このため、部品点数及び組立て工数が少なく、構成も簡単となるに伴い、コストを低減することが可能である。
【００２３】
したがって、本発明の携帯機器によれば、簡単な構成でありながら、押しボタンを介して止め輪に過負荷が掛からないようにでき、それに伴って、止め輪が変形してパイプ内に引き込まれるおそれをなくすことが可能である。
【００２４】
本発明の携帯機器の好ましい形態は、前記発明において、更に、前記外配置筒部が、前記ストッパ部及び前記雄ねじ部を有する大径筒部位と、この大径筒部位より小径で前記挿入筒部と前記大径筒部位とにわたる小径筒部位とを備え、前記大径筒部位と前記小径筒部位とがなす段差によって前記ストッパ部が形成され、前記小径筒部位より大径でかつ前記大径筒部位より小径の孔を有した前記ロック部材の端壁によって前記係止部が形成されていることを特徴としている。
【００２５】
この好ましい形態では、ロック部材がロック位置に移動された状態で、ロック部材の端壁により形成された係止部が、パイプの大径筒部位と小径筒部位とがなす段差により形成されたストッパ部に引っ掛かっている。これにより、ロック部材が機器外装体から離れないように、このロック部材が機器外装体に位置決めされた状態に保持される。そのため、ロック位置に配置されたロック部材が誤った方向に回転操作されることがあっても、押しボタンの対向部が、ロック部材が有するロック部によって、機器外装体から抜け出る方向に強く押されることが防止される。したがって、簡単な構成でありながら、止め輪が変形してパイプ内に引き込まれるおそれをなくすことが可能である。
【００２６】
本発明の携帯機器の好ましい形態は、前記発明において、更に、前記外配置筒部が、前記ストッパ部及び前記雄ねじ部を有する大径筒部位と、この大径筒部位より小径で前記挿入筒部と前記大径筒部位とにわたる小径筒部位とを備え、前記大径筒部位と前記小径筒部位とがなす段差に連続して前記雄ねじ部が前記大径筒部位に形成され、前記雄ねじ部の前記段差から隔たった不完全ねじ部により前記ストッパ部が形成され、前記雌ねじ部の前記ロック部に連続した端によって前記係止部が形成されていることを特徴としている。
【００２７】
この好ましい形態では、ロック部材がロック位置に移動された状態で、ロック部材の雌ねじ部の端により形成された係止部が、パイプの大径筒部位が有する雄ねじ部の不完全ねじ部により形成されたストッパ部に接している。これにより、ロック部材が機器外装体から離れないように、このロック部材が機器外装体に位置決めされた状態に保持される。そのため、ロック位置に配置されたロック部材が誤った方向に回転操作されることがあっても、押しボタンの対向部が、ロック部材が有するロック部によって、機器外装体から抜け出る方向に強く押されることが防止される。したがって、簡単な構成でありながら、止め輪が変形してパイプ内に引き込まれるおそれをなくすことが可能である。
【００２８】
本発明の携帯機器の好ましい形態は、前記発明において、更に、前記小径筒部位が前記挿入筒部より大径であって、この小径筒部位と前記挿入筒部とがなす段部が、前記機器外装体にこの外装体外に開放して形成された凹部の底面に接触されていることを特徴としている。
【００２９】
この好ましい形態では、機器外装体に固定されたパイプの段部と機器外装体の凹部の底面との接触によって、機器外装体の貫通孔に挿入して固定されるパイプを、その軸方向に機器外装体に対して位置決めできる。それにより、ストッパ部及び雄ねじ部を有する大径筒部位が、凹部の底面に対して適正位置に配設されるので、ロック位置と非ロック位置とにわたるロック部材のストローク管理が容易である。
【００３０】
本発明の携帯機器の好ましい形態は、前記発明において、更に、前記ロック部材が、内周に前記雌ねじ部が形成された小径筒部と、この小径筒部より大径で前記ヘッドの外周を覆う大径筒部と、これら大径筒部と小径筒部とを一体に接続して前記大径筒部とともに前記凹部を形成する前記底壁とを有し、前記大径筒部と前記ヘッドとの間にシールリングが挟設されていることを特徴としている。
【００３１】
この好ましい形態では、操作者がロック部材を回転操作する際及び押しボタンを押込み操作する際に、シールリングの摺動抵抗により適度な操作感を与えることができる。これとともに、シールリングによって、砂粒などの異物が、ロック部材の大径筒部とヘッドの外周との間の隙間を通って侵入することを抑制可能である。
【００３２】
前記課題を解決するために、本発明の携帯時計は、前記各発明のうちのいずれかの発明の携帯機器で形成されている。
【００３３】
本発明によれば、前記各発明のうちのいずれかの発明の携帯機器で携帯時計が形成されているので、簡単な構成でありながら、ロック部材が押しボタンの押込みを妨げるロック位置に移動された状態で、このロック部材が誤って過度に回転操作されることを防止可能な携帯時計を提供できる。
【発明の効果】
【００３４】
本発明によれば、簡単な構成でありながら、ロック部材が押しボタンの押込みを妨げるロック位置に移動された状態で、このロック部材が誤って過度に回転操作されることを防止可能な携帯時計及び携帯時計を提供できる。
【図面の簡単な説明】
【００３５】
【図１】本発明の第１の実施の形態に係る腕時計を示す正面図である。
【図２】図１の腕時計をその一部の押しボタンが押込み可能である状態で示す斜視図である。
【図３】図１の腕時計をその一部の押しボタンが押込みを妨げられた状態で示す斜視図である。
【図４】図１の腕時計が備える押しボタンが押込み可能な状態で図１中矢印Ｆ−Ｆ線に沿って示す断面図である。
【図５】図１の腕時計が備える押しボタンの押込みが妨げられた状態で図１中矢印Ｆ−Ｆ線に沿って示す断面図である。
【図６】図１の腕時計が備える押しボタン装置を分解して示す斜視図である。
【図７】本発明の第２の実施の形態に係る腕時計を示す図４相当の断面図である。
【図８】第２の実施の形態に係る腕時計を示す図５相当の断面図である。
【図９】第２の実施の形態に係る腕時計の押しボタン装置を分解して示す斜視図である。
【図１０】本発明の第３の実施の形態に係る腕時計を示す図５相当の断面図である。
【発明を実施するための形態】
【００３６】
本発明の第１の実施の形態を図１から図６を参照して説明する。
図１から図５中符号１１は携帯機器例えば携帯時計具体的には防水時計として使用される腕時計を示している。腕時計１１は機器外装体例えば時計外装体１２を備えている。
図４及び図５に示すように時計外装体１２内に、表示板例えば文字板１３、表示を制御する機器例えば時刻表示用の針１４の動きを制御するムーブメント１５、図示しないランプ、及び電源として図示しない電池等の所要部材が収められている。
【００３７】
ムーブメント１５は、ボタン応答部材例えば接点１６を、少なくとも一個例えば２個（図４及び図５に夫々１個のみ図示する）有している。これらの接点１６は、板ばね等で形成されていて、ムーブメント１５の外周から突出されている。接点１６が後述の押しボタン６１で押されることによって、ムーブメント１５等が夫々の押しボタン６１に与えられた機能を発揮するようになっている。例えば、図１中右下の押しボタン６１は時間計測のスタート・ストップの機能を分担し、図１中右上の押しボタン６１はランプの点灯・消灯をする機能を分担している。
【００３８】
図４及び図５に示すように時計外装体１２は、ステンレス鋼やチタンなどの金属により環状に作られた胴２１の正面に、文字板１３を透視させるカバーガラス２２を液密に装着するとともに、胴２１の裏面に、金属や合成樹脂などから作られた裏蓋２３を液密に装着して形成されている。
なお、図４及び図５中符号２５,２６は夫々時計外装体１２の液密を保持するためのパッキンを示している。又、図１から図３中符号２８は竜頭を示している。
【００３９】
次に、時計外装体１２の所定箇所例えばこの時計外装体１２の側壁をなす胴２１の二箇所に後述の押しボタン装置３３を配設する構成を説明する。両押しボタン装置３３とそれらを時計外装体１２に配設する構成は同じであるため、ここでは図４及び図５を参照して文字板１３を照明するランプの点灯・消灯を担う押しボタン装置３３を胴２１に配設する構成を代表して説明する。
【００４０】
胴２１は凹部３１と貫通孔３２を有している。図５に示すように凹部３１は胴２１の胴外面（外装体外側面）２１ａに開放している。貫通孔３２の一端は凹部３１の底面３１ａに開放され、貫通孔３２の他端は時計外装体１２の内面例えば胴内面（外装体内側面）２１ｂに開放されている。凹部３１及びこれより小径の貫通孔３２は、いずれも円形であるとともに、同心的に設けられている。
【００４１】
次に、図４から図６を参照して押しボタン装置３３を説明する。押しボタン装置３３は、パイプ３５と、ロック部材５１と、押しボタン６１と、止め輪６４と、ばね７１を備えている。
パイプ３５は、ステンレス鋼やチタンなどの金属製で作られた単一部品からなり、円筒形で、挿入筒部３６と、これと一体の外配置筒部３７とを備えている。なお、パイプ３５は、金属製に限らず、合成樹脂製とすることも可能である。
挿入筒部３６は、例えば貫通孔３２に圧入される直管であるが、その先端部は縮径されていてもよい。
【００４２】
外配置筒部３７は、大径筒部位３７ａと小径筒部位３７ｂを有している。小径筒部位３７ｂを介して挿入筒部３６と大径筒部位３７ａとが一体に連続されている。小径筒部位３７ｂは大径筒部位３７ａより小径である。これにより、小径筒部位３７ｂと大径筒部位３７ａとは段差を形成して一体に連続している。小径筒部位３７ｂは挿入筒部３６の外径より大径であることが好ましい。これにより、挿入筒部３６と小径筒部位３７ｂとは段部を形成して一体に連続している。
【００４３】
外配置筒部３７はこれと一体の雄ねじ部３８とストッパ部３９を夫々有している。詳しくは、雄ねじ部３８は、大径筒部位３７ａとこの部位の例えば外周全体にわたり形成されている。この雄ねじ部３８は後述するロック部材５１を軸方向に進退させるために設けられている。ストッパ部３９は大径筒部位３７ａと小径筒部位３７ｂとがなした段差によって形成されている。このストッパ部３９は雄ねじ部３８の一端に連続している。
大径筒部位３７ａはばね受け溝４０を有している。ばね受け溝４０は、大径筒部位３７ａの端面、つまり、ストッパ部３９をなした前記段差と反対側の端面に開放されている。
【００４４】
パイプ３５は胴２１に挿入して固定されている。すなわち、パイプ３５の挿入筒部３６が胴２１の外側から圧入されることによって貫通孔３２に挿入されている。この場合、小径筒部位３７ｂと挿入筒部３６とがなす段部が凹部３１の底面３１ａに接するまで挿入筒部３６が挿入される。なお、貫通孔３２へのパイプ３５の挿入は、外配置筒部３７に予めロック部材５１を螺合させた状態で行われる。
【００４５】
パイプ３５は胴２１に固定されている。この固定のために例えば金属製のろう材３４が用いられている。ろう材３４は、凹部３１の底面３１ａと貫通孔３２とがなす角部に形成された環形の溝に納められている。ろう材３４はパイプ３５が有する前記段部で胴外側から覆われている。
【００４６】
以上のように固定された挿入筒部３６の先端部は胴２１の内部に突出されている。こうして時計外装体１２に固定されたパイプ３５の外配置筒部３７は、胴２１の外部、つまり、時計外装体１２の外部に配置されている。
外配置筒部３７にこれを覆うロック部材５１がパイプ３５の軸方向に移動可能に取付けられている。
【００４７】
詳しくは、ロック部材５１は段付き形状をなす金属製のリングで形成されている。このロック部材５１は、小径筒部５２と、大径筒部５３と、ロック部５４と、雌ねじ部５５と、係止部５６を備えている。
【００４８】
小径筒部５２の外径は凹部３１の径より小さい。この小径筒部５２の内面に雌ねじ部５５は形成されている。大径筒部５３の内外の径は、凹部３１の径及び外配置筒部３７の直径より大きい。この大径筒部５３の外周に、ロック部材５１を手回し操作する際に指が滑らないようにするための複数の溝５３ａ（図６参照）が、ロック部材５１の軸方向と平行に設けられている。
【００４９】
ロック部５４はロック部材５１の軸方向と直交する方向に沿う壁であり、このロック部５４は小径筒部５２と大径筒部５３とにわたってこれらを一体に接続している。大径筒部５３とロック部５４とにより、ボタン押込み用凹部５１ａが区画され、このボタン押込み用凹部５１ａの底をロック部５４が担っている。ボタン押込み用凹部５１ａの内径は、雌ねじ部５５の径より大きいとともに、後述するヘッド６３の外径より若干大きい。
【００５０】
係止部５６はロック部材５１の端壁によって形成されている。すなわち、係止部５６は、小径筒部５２のロック部５４と反対側の端に、この端の開口を狭めるように一体に連続して設けられている。この係止部５６が中央部に有する孔５６ａの径は、小径筒部位３７ｂより大きいとともに、大径筒部位３７ａより小さい。
【００５１】
ロック部材５１は、その雌ねじ部５５を外配置筒部３７の雄ねじ部３８に螺合させて、外配置筒部３７にパイプ３５の軸方向に移動可能に取付けられていて、外配置筒部３７を覆っている。以上のようにロック部材５１がパイプ３５に支持された状態で、このロック部材５１の係止部５６は、凹部３１の底面３１ａとストッパ部３９との間に位置されている。
パイプ３５に押しボタン６１が支持されている。押しボタン６１は、金属又は合成樹脂の一体成形品であって、軸部６２とヘッド６３を備えている。
【００５２】
軸部６２は、円柱状であって、パイプ３５の軸長より長い。この軸部６２はパイプ３５を軸方向に移動可能に貫通していて、胴２１の内部に突出された軸部６２の軸端部（先端部）に、パイプ３５から押しボタン６１を抜け止めする止め輪６４が取付けられている。止め輪６４は、金属製でＣ型又はＥ型であって、胴２１の内部に突出された挿入筒部３６の端面に引っ掛かる大きさを有している。
【００５３】
軸部６２はその周方向に連続する環状のパッキン収容溝を有している。このパッキン収容溝に嵌合してパッキン６６が軸部６２に取付けられている。パッキン６６は弾性変形が可能なゴム系又はプラスチックス系の材料でリング状に形成されている。パッキン６６は弾性変形をした状態でパイプ３５の内周面に密接されている。このパッキン６６によりパイプ３５と軸部６２との間がシールされて、胴内側に対する防水及び防塵が図られている。
【００５４】
ヘッド６３は軸部６２の他の軸端に一体に設けられている。ヘッド６３の外径は、ボタン押込み用凹部５１ａの径より僅かに小さい。このヘッド６３は対向部６５を有している。対向部６５は例えばヘッド６３の裏側の円環状をなす端面で形成されている。
【００５５】
押しボタン６１の軸部６２を胴２１の外側からパイプ３５に挿入して貫通させた後に、胴２１の内部に突出された軸部６２の軸端部に止め輪６４を取付けることにより、押しボタン６１が、パイプ３５に対して抜け止めされた状態に取付けられている。この取付けに伴って、ヘッド６３は、時計外装体１２の外部でかつボタン押込み用凹部５１ａ内に嵌入して配置される。これとともに、対向部６５がロック部材５１のロック部５４に対向される。
【００５６】
外配置筒部３７とヘッド６３との間にばね例えばコイルばね７１が圧縮状態に挟まれている。コイルばね７１の外配置筒部３７側部位は、ばね受け溝４０に収容されている。このコイルばね７１は、押しボタン６１が押し込まれることにより更に圧縮可能である。
【００５７】
このコイルばね７１のばね力によって、押しボタン６１が時計外装体１２の外部に向けて（具体的には胴２１の外側方に向けて）付勢されている。それにより、止め輪６４が時計外装体１２の内部に突出されたパイプ３５の端面に引っ掛かった状態に保持される。
【００５８】
次に、押しボタン装置３３を組立てる手順を説明する。
まず、パイプ３５の大径筒部位３７ａに形成された雄ねじ部３８に、パイプ３５の挿入筒部３６側からロック部材５１を雌ねじ部５５にねじ込んで、ロック部材５１が外配置筒部３７を覆った状態となるようにロック部材５１をパイプ３５に取付ける。この後、胴２１が有する凹部３１の底面３１ａと貫通孔３２とがなす角部に形成された環形の溝に、ろう材３４を納める。
【００５９】
この状態で、パイプ３５の挿入筒部３６と小径筒部位３７ｂとがなす段部が、凹部３１の底面３１ａに接するまで、パイプ３５の挿入筒部３６を胴２１の外部から貫通孔３２に挿入する。この後、加熱によりろう材３４を溶かした上で、このろう材３４を凝固させることにより、パイプ３５を胴２１に固定する。
次に、押しボタン６１の軸部６２にパッキン６６を取付けるとともに、コイルばね７１を軸部６２に巻き付くように嵌合させる。
【００６０】
最後に、この状態の押しボタン６１をパイプ３５に取付ける。つまり、胴２１の外部から押しボタン６１の軸部６２をパイプ３５に挿入し貫通させる。これに伴いパッキン６６が圧縮されてパイプ３５の内周面に密接されるとともに、コイルばね７１が外配置筒部３７のばね受け溝４０に収められながら圧縮される。こうして軸部６２がパイプ３５に貫通された状態で、胴２１の内部に突出された軸部６２の先端部に止め輪６４を取付けて、押しボタン６１の抜け止めをする。
【００６１】
なお、腕時計１１を分解掃除する際に押しボタン６１を外すには、止め輪６４をはずすことによって、パイプ３５から押しボタン６１を胴２１の外部に引き抜くことが可能である。したがって、雄ねじ部３９の掃除、及びパッキン６６とコイルばね７１の交換を行うことができる。
【００６２】
以上説明した腕時計１１の押しボタン６１は、このボタンの押込み方向と逆方向にコイルばね７１で付勢された状態にある。この場合、止め輪６４が挿入筒部３６の先端部に引っ掛かって押しボタン６１は外れ止めされている。
【００６３】
この腕時計１１のロック部材５１は、押しボタン６１の押込みを許容する場合及び禁止する場合に、操作者により回転操作される。
押しボタン６１の押込みを許容する場合、ロック部材５１は回転操作されて図２及び図４に示す非ロック位置に配置される。
【００６４】
すなわち、雄ねじ部３８と雌ねじ部５５との噛み合い長さが短くなるようにロック部材５１が回転操作されることにより、ロック部材５１はその一端の係止部５６が胴２１の凹部３１の底面３１ａに接する位置（非ロック位置）まで移動される。
【００６５】
非ロック位置まで移動されたロック部材５１は時計外装体１２の胴２１に位置決めされた状態にある。この状態で、ロック部材５１の係止部５６は、パイプ３５のストッパ部３９から最も離れているとともに、ロック部材５１のロック部５４は、押しボタン６１のヘッド６３が有した対向部６５から最も離れている。このため、ロック部５４と対向部６５との離間距離に相当して押しボタン６１の押し込みが可能である。
【００６６】
ロック部材５１が非ロック位置に移動された状態で、押しボタン６１が胴２１の外側からコイルばね７１のばね力に抗して押し込まれた場合、軸部６２の先端部６２ａがこれに接近し対向して配設されている接点１６を押圧する。それにより、押しボタン６１に割り当てられた機能が発揮されるようにムーブメント１５が動作され、例えば文字板照明のためのランプが点灯される。この後、押しボタン６１の押圧が解除されるに伴い、押しボタン６１はコイルばね７１のばね力で元の状態に押し戻されるので、ランプは消灯する。
【００６７】
腕時計１１の携帯中等での押しボタン６１の不用意な押込みを禁止する場合、ロック部材５１は回転操作されて図３及び図５に示すロック位置に配置される。
すなわち、雄ねじ部３８と雌ねじ部５５との噛み合い長さが長くなるようにロック部材５１が回転操作されることにより、ロック部材５１は、その係止部５６が胴２１の凹部３１の底面３１ａから離れてパイプ３５のストッパ部３９に引っ掛かった状態に接する位置（ロック位置）まで移動される。この場合、ロック部材５１は胴２１から側方に突出するように軸方向に移動される。こうしたロック部材５１の移動は、その係止部５６がパイプ３５のストッパ部３９に接触することで妨げられ、それ以上のロック部材５１の回転操作ができなくなる。
【００６８】
なお、ロック部材５１がロック位置に配置された状態では、相対的に押しボタン６１のヘッド６３の大部分がロック部材５１のボタン押込み用凹部５１ａ内に没するので、操作者は、押しボタン６１の押込みができない状態にあることを知ることができる。
【００６９】
ロック部材５１がロック位置に移動された状態で、押しボタン６１が押込み力を受けた場合、ヘッド６３の対向部６５とロック部材５１のロック部５４は接触又は至近距離で対向している近接状態にある。このため、ロック部５４をストッパとして押しボタン６１が押し込まれることが妨げられる。
【００７０】
すなわち、パイプ３５は、時計外装体１２の胴２１にろう付けで固定されている。このため、ロック部材５１がロック位置に移動された状態でロック部５４に加わる負荷（押しボタン６１の押込み力）を、パイプ３５を介して胴２１で支持することができる。したがって、押しボタン６１が押し込まれることが妨げられる。
【００７１】
既述のようにロック部材５１がロック位置に配置された状態で、その係止部５６はパイプ３５のストッパ部３９に接している。これにより、雄ねじ部３８と雌ねじ部５５との噛み合い長さが長くなるようにロック部材５１が過剰に回転操作されることが防止される。このため、ロック部材５１とヘッド６３とが接触されているにも拘わらず、押しボタン６１が胴２１の外方に向けて移動されることがない。
【００７２】
したがって、軸部６２に取付けられた止め輪６４がその変形を伴ってパイプ３５内に引き込まれることがない。それに伴い、押しボタン６１が不用意に抜け出るおそれもない。そのため、ダイバーズウォッチ等の防水時計における押しボタン装置３３の信頼性を向上できる。
【００７３】
前記押しボタン装置３３において、ロック部材５１をロック位置に保持するストッパ部３９を有したパイプ３５は、複数の部材を組み合わせて構成されたものではなく単一部品である。これにより、パイプ３５とは別体に用意されたストッパをパイプ３５に装着する手間も構造も必要としない。このため、押しボタン装置３３の部品点数及び組立て工数が少なく、構成も簡単となるに伴い、押しボタン装置３３を備える腕時計１１のコストを低減することが可能である。
【００７４】
以上説明したように第１の実施形態の腕時計１１によれば、簡単な構成でありながら、押しボタン６１を介して止め輪６４に過負荷が掛からないようにでき、それに伴って、止め輪６４が変形してパイプ３５内に引き込まれるおそれをなくすことが可能である。
【００７５】
更に、前記押しボタン装置３３において、外配置筒部３７の小径筒部位３７ｂがパイプ３５の挿入筒部３６より大径であって、この小径筒部位３７ｂと挿入筒部３６とがなす段部が、時計外装体１２の胴２１にこの胴２１外に開放して形成された凹部３１の底面３１ａに接触されている。
【００７６】
この構成により、胴２１の貫通孔３２に挿入して固定されるパイプ３５を、その軸方向に時計外装体１２に対して位置決めできる。それにより、パイプ３５のストッパ部３９及び雄ねじ部３８を有する大径筒部位３７ａが、凹部３１の底面３１ａに対して適正位置に配設される。したがって、ロック位置と非ロック位置とにわたるロック部材５１のストローク管理が容易である。
【００７７】
図７から図９は本発明の第２の実施の形態を示している。この第２実施形態の構成は以下の説明を除いて第１実施形態と同じであるので、第１実施形態と同じ構成又は同様な機能を奏する構成については、第１実施形態と同一符号を付して説明を省略する。
【００７８】
第２実施形態で、パイプ３５が有する外配置筒部３７の大径筒部位３７ａの外周に形成された雄ねじ部３８の長さは、大径筒部位３７ａの軸方向の長さより短い。そのため、雄ねじ部３８は不完全ねじ部を有している。この不完全ねじ部は、ストッパ部３９として使用されるものであって、大径筒部位３７ａと小径筒部位３７ｂとがなした段差から隔たった位置に設けられている。
【００７９】
更に、第２実施形態で、ロック部材５１の小径筒部５２は直管であり、この小径筒部５２の大径筒部５３と反対側の端はその開口が狭められことなく開放されている。このため、雌ねじ部５５は小径筒部５２の軸方向全体にわたって形成されている。この第２実施形態においてロック部材５１が有する係止部５６は、ロック部５４に連続した雌ねじ部５５の端によって形成されている。以上説明した構成以外の構成は第１実施形態と同じである。
【００８０】
第２実施形態において押しボタン６１の押込みを許容する場合、ロック部材５１は回転操作されて図７に示す非ロック位置に配置される。
すなわち、雄ねじ部３８と雌ねじ部５５との噛み合い長さが短くなるようにロック部材５１が回転操作されることにより、ロック部材５１はその小径筒部５２の先端が胴２１の凹部３１の底面３１ａに接する位置（非ロック位置）まで移動される。
【００８１】
非ロック位置まで移動されたロック部材５１は時計外装体１２の胴２１に位置決めされた状態にある。この状態で、ロック部材５１の係止部５６は、不完全ねじ部からなるストッパ部３９に対して最も離れているとともに、ロック部材５１のロック部５４は、押しボタン６１のヘッド６３が有した対向部６５から最も離れている。このため、ロック部５４と対向部６５との離間距離に相当して押しボタン６１の押し込みが可能である。
【００８２】
ロック部材５１が非ロック位置に移動された状態で、押しボタン６１が胴２１の外側からコイルばね７１のばね力に抗して押し込まれた場合、軸部６２の先端部６２ａがこれに近接し対向して配設されている接点１６を押圧する。それにより、押しボタン６１に割り当てられた機能が発揮されるようにムーブメント１５が動作され、例えば文字板照明のためのランプが点灯される。この後、押しボタン６１の押圧が解除されるに伴い、押しボタン６１はコイルばね７１のばね力で元の状態に押し戻されるので、ランプは消灯する。
【００８３】
腕時計１１の携帯中等での押しボタン６１の不用意な押込みを禁止する場合、ロック部材５１は回転操作されて図８に示すロック位置に配置される。
すなわち、雄ねじ部３８と雌ねじ部５５との噛み合い長さが長くなるようにロック部材５１が回転操作されることにより、ロック部材５１は、その小径筒部５２が胴２１の凹部３１の底面３１ａから離れるとともに、ロック部材５１の雌ねじ部５５の端（係止部５６）が雄ねじ部３８の不完全ねじ部からなるストッパ部３９に接する位置（ロック位置）まで移動される。この場合、ロック部材５１は胴２１から側方に突出するように軸方向に移動される。こうしたロック部材５１の移動は、その係止部５６がパイプ３５のストッパ部３９に接触することで妨げられ、それ以上のロック部材５１の回転操作ができなくなる。
【００８４】
ロック部材５１がロック位置に移動された状態で、押しボタン６１が押込み力を受けた場合、ヘッド６３の対向部６５とロック部材５１のロック部５４は接触又は至近距離で対向している近接状態にある。このため、ロック部５４をストッパとして押しボタン６１が押し込まれることが妨げられる。
【００８５】
すなわち、パイプ３５は、時計外装体１２の胴２１にろう付けで固定されている。このため、ロック部材５１がロック位置に移動された状態でロック部５４に加わる負荷（押しボタン６１の押込み力）を、パイプ３５を介して胴２１で支持することができる。したがって、押しボタン６１が押し込まれることが妨げられる。
【００８６】
既述のようにロック部材５１がロック位置に配置された状態で、その係止部５６はパイプ３５のストッパ部３９に接している。これにより、雄ねじ部３８と雌ねじ部５５との噛み合い長さが長くなるようにロック部材５１が過剰に回転操作されることが防止される。このため、ロック部材５１とヘッド６３とが接触されているにも拘わらず、押しボタン６１が胴２１の外方に向けて移動されることがない。
【００８７】
したがって、軸部６２に取付けられた止め輪６４がその変形を伴ってパイプ３５内に引き込まれることがない。それに伴い、押しボタン６１が不用意に抜け出るおそれもない。そのため、ダイバーズウォッチ等の防水時計における押しボタン装置３３の信頼性を向上できる。
【００８８】
前記押しボタン装置３３において、ロック部材５１をロック位置に保持するストッパ部３９を有したパイプ３５は、複数の部材を組み合わせて構成されたものではなく単一部品である。これにより、パイプ３５とは別体に用意されたストッパをパイプ３５に装着する手間も構造も必要としない。このため、押しボタン装置３３の部品点数及び組立て工数が少なく、構成も簡単となるに伴い、押しボタン装置３３を備える腕時計１１のコストを低減することが可能である。
【００８９】
以上説明したように第１の実施形態の腕時計１１によれば、簡単な構成でありながら、押しボタン６１を介して止め輪６４に過負荷が掛からないようにでき、それに伴って、止め輪６４が変形してパイプ３５内に引き込まれるおそれをなくすことが可能である。
【００９０】
しかも、第２実施形態で使用するロック部材５１の形状は、第１実施形態で使用するロック部材５１の形状より単純であることに加えて、その小径筒部５２に対する雌ねじ部５５の加工が容易となる。このため、ロック部材５１のコストを低減することが可能である。
【００９１】
図１０は本発明の第３の実施の形態を示している。この第３実施形態の構成は以下の説明を除いて第１実施形態と同じであるので、第１実施形態と同じ構成又は同様な機能を奏する構成については、第１実施形態と同一符号を付して説明を省略する。
第３実施形態で、外配置筒部３７が有する小径筒部位３７ｂの径（外径）は、挿入筒部３６の外径と同じである。
【００９２】
更に、第３実施形態で、ロック部材５１が有する大径筒部５３と押しボタン６１が有するヘッド６３との間に、シールリング７５が挟設されている。そのために、例えば、ヘッド６３が有する環状壁部の先端部にその外周に開放する環状溝が形成されている。この環状溝にシールリング７５を嵌合指せることによって，シールリング７５がヘッド６３の外周に取付けられている。シールリング７５は弾性変形が可能なゴム系又はプラスチックス系の材料で形成されている。シールリング７５はロック部材５１の大径筒部５３の内周面に密接されている。このシールリング７５によりロック部材５１の大径筒部５３と押しボタン６１のヘッド６３との間がシールされている。
【００９３】
以上説明した以外の構成は第１実施形態と同じである。したがって、第３実施形態でも、第１実施形態で説明した理由により、簡単な構成でありながら、押しボタン６１を介して止め輪６４に過負荷が掛からないようにでき、それに伴って、止め輪６４が変形してパイプ３５内に引き込まれるおそれをなくすことが可能である。
【００９４】
加えて、第３実施形態では、操作者がロック部材５１を回転操作する際及び押しボタン６１を押込み操作する際に、シールリング７５の摺動抵抗により適度な操作感を与えることができ、しかも、ロック位置に配置されたロック部材５１が不用意に緩み方向に回転することを抑制可能であるので、ロック部材５１をロック位置に保持する信頼性が高い。これとともに、シールリング７５によって、砂粒などの異物が、ロック部材５１の大径筒部５３とヘッド６３の外周との間の隙間を通って侵入することを抑制可能である点で、第１実施形態よりも優れている。
【符号の説明】
【００９５】
１１…腕時計（携帯機器：携帯時計）
１２…時計外装体（機器外装体）
３１…凹部
３１ａ…凹部の底面
３２…貫通孔
３３…押ボタン装置
３５…パイプ
３６…挿入筒部
３７…外配置筒部
３７ａ…外配置筒部の大径筒部位
３７ｂ…外配置筒部の小径筒部位
３８…雄ねじ部
３９…ストッパ部
５１…ロック部材
５２…ロック部材の大径筒部
５３…ロック部材の小径筒部
５４…ロック部材のロック部
５５…雌ねじ部
５６…係止部
５６ａ…係止部の孔
６１…押しボタン
６２…軸部
６３…ヘッド
６４…止め輪
６５…ヘッドの対向部
７１…コイルばね（ばね）
７５…シールリング
【図１】
2015036642.tif 000003
【図２】
2015036642.tif 000004
【図３】
2015036642.tif 000005
【図４】
2015036642.tif 000006
【図５】
2015036642.tif 000007
【図６】
2015036642.tif 000008
【図７】
2015036642.tif 000009
【図８】
2015036642.tif 000010
【図９】
2015036642.tif 000011
【図１０】
2015036642.tif 000012